(57)【要約】【課題】閉じ姿勢の障子を簡単にドア枠から取り外しでき、障子の開閉時には障子がドア枠から外れない折戸とする。【解決手段】折戸を構成する障子３の吊元側及び可動側にガイド機構４をそれぞれ取り付け、このガイド機構４はケース４ａとガイド本体４ｂとバネ４ｃを有し、ガイド本体４ｂのガイド溝４０をドア枠２の上枠２０に設けた上レール２３に押しつけると共に、ガイド本体４ｂに設けた凸部４４とケース４ａに設けた凹部４６が一致したときには障子３が上方に移動可能で、凸部４４と凹部４６が周方向にずれたときには障子３が上方に移動できないようにし、障子３が閉じ姿勢のときには凸部４４と凹部４６が一致して障子３を持ち上げてドア枠２から取り外しでき、障子３を開閉移動するときには凸部４４と凹部４６が周方向にずれて障子３が上方に移動できないようにして障子３がドア枠２から外れないようにする。【選択図】図７
2015021226.tif 000002
【特許請求の範囲】
【請求項１】
上枠、下枠及び縦枠を枠組みして構成されたドア枠と、二つ折り可能に構成されて前記ドア枠に直線状の閉じ姿勢と二つ折りされた開き姿勢とに渡って面外方向に回動しながら移動するように取り付けられた障子とを備えた折戸であって、
前記上枠には、上枠の長手方向に沿って連続する上レールが設けられ、
前記障子は、吊元側の上部及び、可動側の上部にそれぞれガイド機構が取り付けられ、
前記各ガイド機構は、ケースと、該ケースの支承孔に上下動及び回動可能に取り付けられ、上面にガイド溝を有したガイド本体と、このガイド本体を上向きに付勢してガイド溝を前記上レールに押しつけるバネを備え、
前記ケースの支承孔に上面に開口し上下方向に連続する凹部を形成し、この凹部に上方から嵌まり合う大きさの凸部をガイド本体に、前記障子が閉じ姿勢のときに凹部と上下方向に一致し、かつ障子が閉じ姿勢から開き姿勢に移動開始すると凹部と周方向にずれるように形成したことを特徴とする折戸。
【請求項２】
前記ガイド機構のガイド本体は、ガイド溝を有したガイドと、前記ケースの支承孔に上下動及び回動可能に取り付けられる取付体を有し、
前記取付体に前記凸部を、その外周面から突出し、かつ周方向に移動可能に設けた請求項１記載の折戸。
【請求項３】
前記取付体は、その上部にアタッチメント取付部を備え、該アタッチメント取付部に、凸部を有したアタッチメントを、その凸部の取付体の周方向位置が異なる第１取付姿勢と第２取付姿勢に変更可能に取り付けた請求項２記載の折戸。
【請求項４】
前記アタッチメント取付部は、上部が下部よりも小径なテーパー形状の傾斜嵌合面と、その傾斜嵌合面の上部に設けた嵌合受部を有し、
前記アタッチメントは、不連続なリング形状で、外周面に凸部を有し、内周面は上部が下部よりも小径なテーパー形状の傾斜被嵌合面で、上面に前記嵌合受部に嵌合する嵌合部を有し、
該アタッチメントはアタッチメント取付部に、前記傾斜被嵌合面が前記傾斜嵌合面に弾力的に嵌まり合うことで嵌合部が嵌合受部に嵌合する上方の位置に保持し、かつ嵌合部が嵌合受部と離れた下方の位置に移動可能に取り付けてある請求項３記載の折戸。
【発明の詳細な説明】
【技術分野】
【０００１】
本発明は、浴室の出入口などに設けられる折戸に関する。
【背景技術】
【０００２】
浴室の出入口に設けられる折戸が特許文献１に開示されている。
この折戸は、ドア枠及び、折り畳み自在に連結した第１障子（扉）と第２障子（扉）を備え、第１障子の吊元側をドア枠の上枠、下枠に回動自在に支承し、第２障子の吊元側をドア枠の上枠、下枠に設けた上レール、下レールに沿って摺動自在に支承して第１障子と第２障子を直線状の閉じ姿勢及び折り畳みされた開き姿勢に移動して開閉するものである。
一方、浴室内で入浴者に不慮の事故が発生したときなどに、第１障子と第２障子を折り畳みされた開き姿勢に移動して開放できない場合があり、この場合には閉じ姿勢の第１障子と第２障子をドア枠から取り外すことになる。
【０００３】
そこで、閉じ姿勢の第１障子と第２障子をドア枠から取り外しできる折戸が提案されている。
例えば、特許文献２に開示したように、第１・第２障子の吊元側上部に、上レールに摺動自在に支承されるガイド及び操作摘みを設け、この操作摘みを人が操作することでガイドを押し下げて上レールと離脱できるようにした折戸が提案されている。
この折戸であれば、操作摘みを操作してガイドを下方位置に移動することで閉じ姿勢の第１障子と第２障子をドア枠から取り外しできる。
【先行技術文献】
【特許文献】
【０００４】
【特許文献１】特許第３４３０３９３号公報
【特許文献２】特許第４５２８７３７号公報
【発明の概要】
【発明が解決しようとする課題】
【０００５】
特許文献２に開示された折戸では、ガイドとは別に操作部材を備えているから部品点数が多く、コスト高である。
しかも、第１・第２障子をドア枠から取り外しするには、障子の取り外し操作とは別に操作部材を人が操作する必要があり、第１・第２障子の取り外し操作が面倒である。
【０００６】
本発明は、前述の課題を解決するためになされたものであり、その目的は、特別な部品を設けたり、特別な操作をすることなしに、閉じ姿勢の障子をドア枠から簡単に取り外しできるようにした折戸とすることである。
【課題を解決するための手段】
【０００７】
本発明は、上枠、下枠及び縦枠を枠組みして構成されたドア枠と、二つ折り可能に構成されて前記ドア枠に直線状の閉じ姿勢と二つ折りされた開き姿勢とに渡って面外方向に回動しながら移動するように取り付けられた障子とを備えた折戸であって、
前記上枠には、上枠の長手方向に沿って連続する上レールが設けられ、
前記障子は、吊元側の上部及び、可動側の上部にそれぞれガイド機構が取り付けられ、
前記各ガイド機構は、ケースと、該ケースの支承孔に上下動及び回動可能に取り付けられ、上面にガイド溝を有したガイド本体と、このガイド本体を上向きに付勢してガイド溝を前記上レールに押しつけるバネを備え、
前記ケースの支承孔に上面に開口し上下方向に連続する凹部を形成し、この凹部に上方から嵌まり合う大きさの凸部をガイド本体に、前記障子が閉じ姿勢のときに凹部と上下方向に一致し、かつ障子が閉じ姿勢から開き姿勢に移動開始すると凹部と周方向にずれるように形成したことを特徴とする折戸である。
【０００８】
本発明の折戸においては、前記ガイド機構のガイド本体は、ガイド溝を有したガイドと、前記ケースの支承孔に上下動及び回動可能に取り付けられる取付体を有し、
前記取付体に前記凸部を、その外周面から突出し、かつ周方向に移動可能に設けることができる。
このようにすれば、凸部を取付体の周方向に移動して、障子が閉じ姿勢のときに凸部を凹部と周方向にずらすことができるから、ドア枠に障子を閉じ姿勢で取り付けた状態で折戸を運搬するときに、障子がドア枠から外れることを防止できる。
【０００９】
本発明の折戸においては、前記取付体は、その上部にアタッチメント取付部を備え、該アタッチメント取付部に、凸部を有したアタッチメントを、その凸部の取付体の周方向位置が異なる第１取付姿勢と第２取付姿勢に変更可能に取り付けることができる。
このようにすれば、アタッチメントを第１取付姿勢又は第２取付姿勢とすることで、障子が閉じ姿勢のときに凸部を凹部に一致したり、周方向にずらすことができる。
【００１０】
本発明の折戸においては、前記アタッチメント取付部は、上部が下部よりも小径なテーパー形状の傾斜嵌合面と、その傾斜嵌合面の上部に設けた嵌合受部を有し、
前記アタッチメントは、不連続なリング形状で、外周面に凸部を有し、内周面は上部が下部よりも小径なテーパー形状の傾斜被嵌合面で、上面に前記嵌合受部に嵌合する嵌合部を有し、
該アタッチメントはアタッチメント取付部に、前記傾斜被嵌合面が前記傾斜嵌合面に弾力的に嵌まり合うことで嵌合部が嵌合受部に嵌合する上方の位置に保持し、かつ嵌合部が嵌合受部と離れた下方の位置に移動可能に取り付けることができる。
このようにすれば、嵌合部が嵌合受部に嵌合することでアタッチメントが回動しないから、アタッチメントを第１取付姿勢又は第２取付姿勢に保持できる。
アタッチメントを押し下げて嵌合部を嵌合受部から離すことで、アタッチメントを第２取付姿勢又は第１取付姿勢に回動でき、アタッチメントから手を離すことで、アタッチメントは上方の位置に自動的に移動して回動しないように保持できるから、アタッチメントを第１取付姿勢又は第２取付姿勢に簡単に回動できる。
【発明の効果】
【００１１】
本発明によれば、障子が閉じ姿勢のときには凸部と凹部が一致し、ガイド本体に対してケースを上方に移動できるから、障子を持ち上げてドア枠から取り外しできる。
したがって、特別な部品を設けたり、特別な操作をせずに閉じ姿勢の障子をドア枠から簡単に取り外しできる。
しかも、障子を開き姿勢に向けて移動開始すれば、凸部が凹部と周方向にずれてガイド本体に対してケースが上方に移動できないから、障子を開閉するときにドア枠から外れることがない。
【図面の簡単な説明】
【００１２】
【図１】折戸の閉じ状態の正面図である。
【図２】折戸の開き状態の正面図である。
【図３】折戸の縦断面図である。
【図４】折戸の横断面図である。
【図５】ガイド機構の分解斜視図である。
【図６】ガイド機構の組み立て状態の断面図である。
【図７】障子が閉じ姿勢のときのガイド機構の断面図である。
【図８】障子が開き姿勢のときのガイド機構の断面図である。
【図９】図８のＡ−Ａ断面図である。
【図１０】ガイド機構のガイド本体とアタッチメントの分解斜視図である。
【図１１】アタッチメントを取り付けたガイド本体の斜視図である。
【図１２】アタッチメントを取り付けたガイド本体の正面図である。
【図１３】アタッチメントを押し下げた状態のガイド本体の正面図である。
【図１４】吊元側のガイド機構の取り付け説明図である。
【発明を実施するための形態】
【００１３】
図１に示すように、折戸１は、ドア枠２と、二つ折り可能に構成された障子３、例えば折り畳み自在に連結した第１障子３ａ、第２障子３ｂを備え、その第１障子３ａ、第２障子３ｂをドア枠２に、図１に示す直線状の閉じ姿勢及び図２に示す折り畳みされた開き姿勢に移動可能に取り付けてある。
ドア枠２は上枠２０と下枠２１と左右の縦枠２２，２２を枠組みしてある。
第１障子３ａ及び第２障子３ｂは、上框３０と下框３１と連結框３２と縦框３３を框組みし、その内部にガラスや樹脂プレートなどの面材３４を装着してある。
連結框とは折り畳み自在に連結される框で、縦框とはその框と反対側の框である。
各縦框３３の上部にガイド機構４がそれぞれ取り付けてある。
各縦框３３の下部に下戸車５がそれぞれ取り付けてある。
【００１４】
図３に示すように、上枠２０には、上枠２０の長手方向に沿って連続する上レール２３が設けられ、下枠２１には、下枠２１の長手方向に沿って連続する下レール２４が設けてある。この上レール２３、下レール２４は障子３の面内方向に連続している。
図４に示すように、第１障子３ａの連結框３２と第２障子３ｂの連結框３２は連結部材３５で面外方向に折り畳み自在に連結されている。面外方向とは上枠２０、下枠２１の長手方向と直交する方向で、第１障子３ａと第２障子３ｂが浴室側に折り畳まれる方向である。
各縦框３３はホロー部３３ａと面材装着部３３ｂを有している。
【００１５】
そして、第１障子３ａの縦框３３に取り付けたガイド機構４及び下戸車５が上レール２３及び下レール２４の長手方向一端部（一方の縦枠２２側端部）に面内方向に移動しないように支持され、第１障子３ａの縦框３３がドア枠２（上枠２０、下枠２１の長手方向一端部）に面外方向に回動自在で、面内方向には動かないように支持される。つまり、第１障子３ａの縦框３３が障子３の吊元側縦框で、その縦框３３に取り付けたガイド機構４が障子３の吊元側のガイド機構である。
第２障子３ｂの縦框３３に取り付けたガイド機構４及び下戸車５は上レール２３及び下レール２４に沿って移動自在に支持され、第２障子３ｂの縦框３３がドア枠２（上枠２０、下枠２１）に面外方向に回動自在で、面内方向に移動可能に支持される。
つまり、第２障子３ｂの縦框３３が障子３の可動側縦框で、その縦框３３に取り付けたガイド機構４が障子３の可動側のガイド機構である。
これにより、第１障子３ａ、第２障子３ｂは図１に示す直線状の閉じ姿勢及び図２に示す折り畳みされ浴室側に突出した開き姿勢に面外方向に９０度回動しながら移動自在にドア枠２に取り付けられる。
【００１６】
各ガイド機構４は図５及び図６に示すように、縦框３３のホロー部３３ａ内に取り付けるケース４ａと、このケース４ａ内に上下動及び回動可能に取り付けるガイド本体４ｂと、このガイド本体４ｂを上方に向けて移動（付勢）するバネ４ｃを備えている。
【００１７】
ガイド本体４ｂは、上レール２３に摺動自在に嵌まり込むガイド溝４０を有したガイド４１と、このガイド４１の下面に、下方に向けて設けられ、前記ケース４ａ内に上下動可能に、及び前記ケース４ａに対して相対的に回動可能に取り付けられる取付体４２と、この取付体４２の下面に、下方に向けて設けられた杆体４３を備えている。
取付体４２の外周面４２ａは円形で、その外周面４２ａよりも外方に突出した凸部４４、例えば径方向に対向した一対の凸部４４を有する。
この一対の凸部４４はガイド溝４０と直交する方向に位置している。
杆体４３の径は取付体４２よりも小径で、その下端部は二又状に分岐し、一対のストッパー片４３ａを有している。
【００１８】
図５及び図６に示すガイド機構４のガイド４１は平面形状がほぼ矩形状の板状で、その対向した一対の端面間に連続してガイド溝４０を有し、このガイド溝４０はガイド本体４ｂの上面に形成されている。
【００１９】
ケース４ａは、上面４ａ−１に開口し、前記取付体４２の径と同一径の支承孔４５を有し、この支承孔４５の内周面には、上面に開口し上下方向に連続し、前記取付体４２の凸部４４が嵌まり合う凹部４６、例えば、径方向に対向した一対の凹部４６を有している。
支承孔４５の底面は、杆体４３が挿通する透孔４５ａでケース４ａの下面に開口している。
バネ４ｃは杆体４３に挿通するコイルバネである。
【００２０】
ガイド機構４は次のように組み立てる。
杆体４３にバネ４ｃを挿通し、そのバネ４ｃをガイド本体４ｂの取付体４２の下面と杆体４３の一対のストッパー片４３ａとに接して保持する。
ケース４ａの支承孔４５内にガイド本体４ｂを、杆体４３を先頭として挿入し、杆体４３の一対のストッパー片４３ａを接近する方向に弾性変形させながらケース４ａの透孔４５ａを貫通させると共に、取付体４２を支承孔４５内に挿入することで、図６に示すように、バネ４ｃがケース４ａの支承孔４５の底面と取付体４２の下面との間に設けられ、ガイド本体４ｂを上方に向けて移動し、杆体４３の一対のストッパー片４３ａがケース４ａの透孔４５ａの下部開口縁に接してガイド本体４ｂがケース４ａから飛び出ないように保持する。
【００２１】
ガイド機構４は第１障子３ａ、第２障子３ｂに図７に示すように取り付ける。
ケース４ａを縦框３３のホロー部３３ａ内に挿入し、ケース４ａのフランジ４ａ−２の下面を縦框３３のホロー部３３ａの開口端面に接するように取り付ける。
ケース４ａは、一対の凹部４６が障子の面外方向に向かうように向きを決めて取り付ける。
ガイド本体４ｂは、ガイド溝４０が障子の面内方向に向かうように向きを決め、一対の凸部４４が一対の凹部４６と上下方向に一致するようにする。
【００２２】
障子３はドア枠２に次のようにして取り付ける。
第１障子３ａ、第２障子３ｂを直線状で、垂直に対して斜めの姿勢として各ガイド機構４のガイド４１のガイド溝４０を上レール２３に嵌め込み、第１障子３ａ、第２障子３ｂを持ち上げてガイド本体４ｂに対してケース４ａがバネ４ｃを圧縮変形して上方に移動することで下戸車５を下レール２４よりも上とする。第１障子３ａ、第２障子３ｂを垂直姿勢としてから下げることで、下戸車５を下レール２４に接する。
これにより、ガイド機構４は図７に示すようにガイド本体４ｂがバネ４ｃで上方に移動してガイド溝４０を上レール２３に押しつけ、一対の凸部４４が凹部４６から抜け出ることで、第１障子３ａ、第２障子３ｂを閉じ姿勢としてドア枠２に取り付ける。
なお、第１障子３ａの縦框３３に取り付けたガイド機構４、下戸車５を面内方向に移動しないようにすることについては後述する。
【００２３】
ガイド機構４は、このような構成であるから、第１障子３ａ、第２障子３ｂをドア枠２に前述したように取り付けた状態で、第１障子３ａ、第２障子３ｂを閉じ姿勢から開き姿勢に移動する際に、各ガイド機構４のガイド本体４ｂは上レール２３に嵌まり合うことで回動しないから、ガイド本体４ｂに対してケース４ａが縦框３３（障子）とともに回動するので、取付体４２の凸部４４がケース４ａの凹部４６に一致したり、周方向にずれたりする。
【００２４】
つまり、第１障子３ａ、第２障子３ｂが図１に示す閉じ姿勢のときには、図７に示すように、凸部４４と凹部４６が一致する。
第１障子３ａ、第２障子３ｂが図２に示す開き姿勢のときには、第１障子３ａ、第２障子３ｂとともにケース４ａがガイド本体４ｂに対して面外方向に９０度回動し、図８及び図９に示すように、凸部４４と凹部４６が周方向に９０度ずれ、凸部４４はケース４ａの支承孔４５の上部開口縁と対向する。
これにより、ケース４ａがガイド本体４ｂに対して上方に移動すると支承孔４５の上部開口縁が凸部４４の下面に干渉して上方への移動を規制する。
【００２５】
次に、第１障子３ａ、第２障子３ｂの取り外しについて説明する。
第１障子３ａ、第２障子３ｂが図１に示す閉じ姿勢であると、各ガイド機構４は図７に示すように凸部４４と凹部４６が一致した状態で、ガイド本体４ｂに対してケース４ａが上方に移動可能となる。
【００２６】
したがって、第１障子３ａ、第２障子３ｂを持ち上げて下戸車５を下レール２４よりも上方とし、第１障子３ａ、第２障子３ｂの下部を面外方向の浴室側に移動して垂直に対して斜めとし、その状態で第１障子３ａ、第２障子３ｂを斜め下方に移動してガイド本体４ｂを上レール２３から外すことで第１障子３ａ、第２障子３ｂをドア枠２から取り外しできる。
前述と反対の操作で第１障子３ａ、第２障子３ｂをドア枠２に取り付けできる。
つまり、第１障子３ａ、第２障子３ｂを上下けんどん式にドア枠２に取り外し、取り付けできる。
【００２７】
このように、閉じ姿勢の第１障子３ａ、第２障子３ｂを持ち上げるだけで、上下けんどん式にドア枠２から取り外しでき、特別な部品を設けたり、特別な操作をせずに簡単に取り外しできる。
【００２８】
第１障子３ａ、第２障子３ｂを閉じ姿勢から開き姿勢に向けて移動開始すると、各ガイド機構４は第１障子３ａ、第２障子３ｂとともにケース４ａが回動して図８、図９に示すように、凹部４６が凸部４４と周方向にずれ、ケース４ａがガイド本体４ｂに対して上方に移動できないので、第１障子３ａ、第２障子３ｂの上方への移動が規制され、ドア枠２から外れることがない。
つまり、第１障子３ａ、第２障子３ｂを開き姿勢として開放するとき、開き姿勢の第１障子３ａ、第２障子３ｂを閉じ姿勢として閉じ終わるときまでにドア枠２から外れることがない。
【００２９】
折戸を工場などで組み立て、組み立てた状態の折戸を取り付け現場に運搬する場合には、第１障子３ａ、第２障子３ｂを閉じ姿勢とする。
このために、前述のようにガイド機構４のケース４ａの凹部４６とガイド本体４ｂの凸４４が一致している状態であると、折戸の運搬時に第１障子３ａ、第２障子３ｂがドア枠２の上枠２０側に移動して下戸車５が下レール２４から外れ、第１障子３ａ、第２障子３ｂがドア枠２から外れることがある。
【００３０】
そこで、本発明では、凸部４４が取付体４２の周方向に移動可能に設けることで、折戸の運搬時には第１障子３ａ、第２障子３ｂが閉じ姿勢であっても凸部４４がケース４ａの凹部４６と周方向にずれるように凸部４４を移動することで、ケース４ａがガイド本体４ｂに対して上枠２０側に移動しないようにして、折戸運搬時に第１障子３ａ、第２障子３ｂがドア枠１から外れないようにする。
また、折戸を浴室の出入口に取り付けたときには、第１障子３ａ、第２障子３ｂが閉じ姿勢であれば凸部４４と凹部４６が一致するように凸部４４を移動する。
【００３１】
この実施の形態では、図１０、図１１、図１２に示すように、ガイド本体４ｂの取付体４２の上部にアタッチメント取付部４７を形成し、そのアタッチメント取付部４７に凸部４４を備えたアタッチメント５０を、凸部４４の取付体４２の周方向位置が異なる第１取付姿勢と第２取付姿勢に変更可能に取り付けてある。
そして、アタッチメント５０を第１取付姿勢とすることで凸部４４がケース４ａの凹部４６と一致し、第２取付姿勢とすることで凸部４４がケース４ａの凹部４６と周方向にずれるようにしてある。
【００３２】
このような構成とすれば、折戸の運搬時にはアタッチメント５０を第２取付姿勢とすることで、第１障子３ａ、第２障子３ｂが閉じ姿勢であっても凸部４４と凹部４６が周方向にずれるようにできる。
折戸を浴室の出入口に取り付けたときにはアタッチメント５０を第１取付姿勢とすることで、第１障子３ａ、第２障子３ｂが閉じ姿勢のときには凸部４４と凹部４６が一致するようにできる。
【００３３】
取付体４２のアタッチメント取付部４７は、その外周面４７ａが、上部が下部よりも小径のテーパー形状で、その外周面４７ａが傾斜嵌合面である。この外周面４７ａの上部に位置決め用の嵌合受部、例えば嵌合突起４８が外周面４７ａよりも外周方向に突出して有する。
嵌合突起４８は周方向に９０度間隔で４つ有し、径方向に対向した一対の嵌合突起４８はガイド４１のガイド溝４０と合致している。
【００３４】
アタッチメント５０は不連続なリング形状で、外力を加えることで不連続部の間隔を広げた略Ｃの字形状に拡張変形でき、その外力がなくなると元の形状に弾性力で復元する。
アタッチメント５０の外周面５０ａに一対の凸部４４を有し、内周面５０ｂは前記アタッチメント取付部４７の外周面４７ａに嵌まり合うように上部が下部よりも小径のテーパー形状で、内周面５０ｂが傾斜被嵌合面である。
【００３５】
アタッチメント５０の内周面５０ｂの内径はアタッチメント取付部４７の外周面４７ａの外形よりも小さく、アタッチメント５０は若干拡張変形した状態でアタッチメント取付部４７の外周面４７ａに嵌まり合うので、アタッチメント５０は弾性力で、内周面５０ｂがアタッチメント取付部４７の外周面４７ａに押しつけられる。
つまり、アタッチメント５０は取付体４２のアタッチメント取付部４７に弾性力的に嵌まり合う。
このようであるから、アタッチメント５０はアタッチメント取付部４７の上方に移動することになる。
【００３６】
アタッチメント５０の上下寸法（厚さ）はアタッチメント取付部４７の上下寸法よりも小さく、そのアタッチメント５０の上面５０ｃに位置決め用の嵌合部、例えば嵌合突部４８が嵌合する嵌合凹部５１を有している。
嵌合凹部５１は周方向に９０度間隔で４つ有し、径方向に対向した一対の嵌合凹部５１は凸部４４と周方向に同一位置である。
【００３７】
アタッチメント５０はアタッチメント取付部４７に次のようにして取り付ける。
アタッチメント５０を略Ｃの字形状に拡張変形し、アタッチメント取付部４７に嵌め込み、アタッチメント５０の弾性復元力で、その内周面５０ｂをアタッチメント取付部４７の外周面４７ａに密着して弾性的に取り付ける。
これにより、アタッチメント５０は上方に移動し、その嵌合凹部５１がアタッチメント取付部４７の嵌合突起４８に嵌合してアタッチメント５０を周方向に位置決めすると共に、回動しないように保持する。
例えば、凸部４４がケース４ａの凹部４６と一致した第１取付姿勢に位置決めする。
【００３８】
図１２に矢印ａで示すようにアタッチメント５０に手を掛けて押下げることで、図１３に示すように嵌合凹部５１が嵌合突起４８から抜け出し、アタッチメント５０は取付体４２の周方向に回動可能となる。このとき、アタッチメント５０は拡張変形する。
アタッチメント５０を９０度回動して第２取付姿勢とする。
アタッチメント５０から手を離すことで拡張変形したアタッチメント５０が元の形状に弾性復帰しようとするから、その締まりはめ力でアタッチメント５０はさらにアタッチメント取付部４７の外周面４７ａに沿って自動的に上昇し、図１２に示すように嵌合凹部５１が嵌合突起４８に嵌合するので、アタッチメント５０を第２取付姿勢に位置決めできる。
【００３９】
このようであるから、アタッチメント５０を押し下げて９０度回動して手を離すことで、アタッチメント５０を第１取付姿勢から第２取付姿勢にできると共に、第２取付姿勢のアタッチメント５０を第１取付姿勢とすることができ、その操作が簡単である。
【００４０】
アタッチメント５０、アタッチメント取付部４７は前述の形状に限ることはなく、任意の形状とすることができる。
例えば、アタッチメント取付部４７を正方形の柱形状とする。アタッチメント５０を不連続で、柱形状のアタッチメント取付部４７に嵌合する矩形孔を有し、外周面に一対の凸部を有するものとする。
そして、アタッチメント５０を拡張変形することで矩形孔を柱形状のアタッチメント取付部４７に嵌合して取付体４２に取り付ける。
このような構成とすることで、アタッチメント５０をアタッチメント取付部４７から取り外し、アタッチメント５０を９０度回動して再びアタッチメント取付部４７に取り付けることで、アタッチメント５０を第１取付姿勢又は第２取付姿勢として取り付けできる。
【００４１】
第１障子３ａの縦框３３に取り付けた吊元側のガイド機構４、下戸車５を面内方向に移動しないようにするには、上枠２０、下枠２１にストッパーを取り付けても良いが、この実施の形態では、図５に示すように各ガイド機構４のガイド本体４ｂのガイド４１に補助ガイド溝４９をガイド溝４０と直角な方向に向けて有する構成とし、図１４に示すように吊元側のガイド機構４のガイド本体４ｂをケース４ａに対して９０度回動し、補助ガイド溝４９が上レール２３の長手方向と一致する向きとする。
そして、上レール２３の端部に補助ガイド溝４９に嵌め込み、上レール２３の長手方向端面２３ａに補助ガイド溝９４の一端壁９４ａを当接することで、吊元側のガイド機構４が上枠１に沿って面内方向に移動しないようにする。
【００４２】
このようにすることで、ストッパーを用いないで吊元側のガイド機構４が面内方向に移動しないようにできる。
また、ガイド本体４ｂを９０度回動するので、アタッチメント５０も９０度回転して凸部４４が凹部４６と一致するようにする。
なお、第２障子３ｂの縦框３３に取り付けた可動側のガイド機構４は、図５に示すようにガイド溝４０が上レール２３の長手方向と一致するようにする。
【００４３】
前述の説明では、アタッチメント５０を用い凸部４４が取付体４２の周方向に移動するようにしたが、取付体４２の外周面４２ａに周方向に向かう長溝を形成し、この長溝に沿って凸部となる突起片を周方向に移動可能に取り付けても良い。
【００４４】
前述の説明では、第１障子３ａ、第２障子３ｂを框組みした内部に面材３４を装着したものとしたが、框を用いずに２枚のパネル体を接合したパネル形状などとすることもできる。
この場合には框がないので、吊元側の上部にガイド機構４を取り付ける。
【符号の説明】
【００４５】
２…ドア枠、３…障子、３ａ…第１障子、３ｂ…第２障子、４…ガイド機構、４ａ…ケース、４ｂ…ガイド本体、４ｃ…バネ、５…下戸車、２０…上枠、２１…下枠、２２…縦枠、２３…上レール、２４…下レール、４０…ガイド溝、４１…ガイド、４２…取付体、４４…凸部、４５…支承孔、４６…凹部、４７…アタッチメント取付部、４７ａ…外周面（傾斜嵌合面）、４８…嵌合凸部（嵌合受部）、５０…アタッチメント、５０ａ…内周面（傾斜被嵌合面）、５１…嵌合凹部（嵌合部）。
【図１】
2015021226.tif 000003
【図２】
2015021226.tif 000004
【図３】
2015021226.tif 000005
【図４】
2015021226.tif 000006
【図５】
2015021226.tif 000007
【図６】
2015021226.tif 000008
【図７】
2015021226.tif 000009
【図８】
2015021226.tif 000010
【図９】
2015021226.tif 000011
【図１０】
2015021226.tif 000012
【図１１】
2015021226.tif 000013
【図１２】
2015021226.tif 000014
【図１３】
2015021226.tif 000015
【図１４】
2015021226.tif 000016